(57)【要約】【課題】反転板の直径寸法が粘着テープの幅寸法よりも小さくなっても、粘着テープによる反転板の貼り付け力を低下させることなく空気逃げを形成することができて反転板をスムーズに動作させることができる反転板の取付構造及び取付方法を提供する。【解決手段】反転板１０を、粘着テープ５０によってスイッチ回路基板８０に貼り付ける。反転板１０の外周にはこの反転板１０を取り付けていた反転板連結体１００との連結部１０１を切断した連結部切断部１１が設けられており、この連結部切断部１１の部分が露出するように、粘着テープ５０の外周辺に切断部露出用切り欠き５１を設ける。【選択図】図１
2011138659.tif 000002
【特許請求の範囲】
【請求項１】
一方の面側に突出する湾曲面を有する反転板を、粘着テープによって取付部材に貼り付ける反転板の取付構造において、
前記反転板の外周にはこの反転板を取り付けていた反転板連結体との連結部を切断した連結部切断部が設けられており、この連結部切断部の部分が露出するように、粘着テープの外周辺に切断部露出用切り欠きを設けたことを特徴とする反転板の取付構造。
【請求項２】
請求項１に記載の反転板の取付構造であって、
前記粘着テープは、前記切断部露出用切り欠きの部分に露出している部分を除いて反転板全体を覆っていることを特徴とする反転板の取付構造。
【請求項３】
請求項１に記載の反転板の取付構造であって、
前記反転板は複数枚であってそれらの外周辺を接近させてそれぞれ粘着テープによって取付部材に貼り付けられ、
前記複数枚の反転板の相互に接近している外周辺の部分が露出するように、粘着テープの外周辺に外周辺露出用切り欠きを設けたことを特徴とする反転板の取付構造。
【請求項４】
請求項１または２または３に記載の反転板の取付構造であって、
前記取付部材は、前記反転板を可動接点板として取り付けることで押圧スイッチが構成されるスイッチ接点部を有するか、或いは前記反転板をクリック板として取り付けることで押圧スイッチが構成されるスイッチ接点部を有してなるスイッチ回路基板であることを特徴とする反転板の取付構造。
【請求項５】
一方の面側に突出する湾曲面を有する反転板を、粘着テープによって取付部材に貼り付ける反転板の取付方法において、
帯状の金属板に順次連結部によって反転板を取り付けてなる反転板連結体と、外周辺に順次切断部露出用切り欠きを形成してなる粘着テープとを用意し、
前記反転板の湾曲面が突出する面側に前記粘着テープを貼り付け、その際前記各切断部露出用切り欠き内に前記各反転板の連結部を位置させ、
前記粘着テープと前記連結部とをそれぞれ切断することで個品化された粘着テープを貼り付けた反転板を反転板連結体から取り出して前記取付部材上に貼り付けることを特徴とする反転板の取付方法。
【発明の詳細な説明】
【技術分野】
【０００１】
本発明は、可動接点板などの反転板を粘着テープによってスイッチ回路基板などの取付部材に貼り付ける反転板の取付構造及び取付方法に関するものである。
【背景技術】
【０００２】
従来、例えば特許文献１の第７図に示すように、弾性金属板をドーム形状に形成してなる反転板（２）を粘着テープ（４）によってスイッチ回路基板（９）のスイッチ接点部（１０）上に貼り付けることで構成される押圧スイッチがある。そして近年、この種の構造の押圧スイッチの小型化の要求により、反転板（２）の直径が粘着テープ（４）の幅よりも小さくなってきた。
【先行技術文献】
【特許文献】
【０００３】
【特許文献１】特開平４−８７２２５号公報
【発明の概要】
【発明が解決しようとする課題】
【０００４】
このため以下のような問題が生じた。
（１）図１０に示すように、反転板５００の直径寸法が粘着テープ５１０の幅寸法よりも小さくなると、反転板５００の表面全体が粘着テープ５１０によって覆われて密閉される。このため反転板５００を押圧して反転した際に反転板５００の下面側の空間にある空気が外部に逃げず、このためこの押圧スイッチのスムーズな動作が阻害されてしまう。この問題を解決するには、粘着テープ５１０の幅寸法を反転板５００の直径寸法よりも小さくすればよいが、そうすると粘着テープ５１０による反転板５００の貼り付け力が低下してしまう。
【０００５】
（２）反転板５００のスイッチ回路基板５３０への貼り付けは、例えば図１１に示すように、帯状の金属板からなる反転板連結体５５０の内部に連続して複数の反転板５００を打ち抜き加工によって形成し、その際各反転板５００を連結部５６０によって反転板連結体５５０に連結しておき、次に各反転板５００上に長尺な粘着テープ５１０を貼り付け、次に粘着テープ５１０を各反転板５００の両側においてカット（ハーフカット５７０）し、最後に連結部５６０の部分をカットしながら粘着テープ５１０を貼り付けた反転板５００を反転板連結体５５０から取り外して前記図１０に示すスイッチ回路基板５３０上に貼り付けることによって行われる。しかしながら反転板５００の直径寸法が粘着テープ５１０の幅寸法よりも小さいと、連結部５６０をカットする際にその上に粘着テープ５１０があるため、粘着テープ５１０がカットの邪魔になったり、カット用ポンチに粘着材が付着したりすることで、前記連結部５６０のカットがスムーズに行えなくなる恐れがあった。
【０００６】
本発明は上述の点に鑑みてなされたものでありその目的は、たとえ反転板の直径寸法が粘着テープの幅寸法よりも小さく（または同一程度に）なっても、粘着テープによる反転板の貼り付け力を低下させることなく空気逃げを形成することができて反転板をスムーズに動作させることができ、また帯状の反転板連結体に連結部によって接続した反転板をスムーズにカットすることができてスイッチ回路基板等の取付部材に容易に貼り付けることができる反転板の取付構造及び取付方法を提供することにある。
【課題を解決するための手段】
【０００７】
本願請求項１に記載の発明は、一方の面側に突出する湾曲面を有する反転板を、粘着テープによって取付部材に貼り付ける反転板の取付構造において、前記反転板の外周にはこの反転板を取り付けていた反転板連結体との連結部を切断した連結部切断部が設けられており、この連結部切断部の部分が露出するように、粘着テープの外周辺に切断部露出用切り欠きを設けたことを特徴とする反転板の取付構造にある。
【０００８】
本願請求項２に記載の発明は、請求項１に記載の反転板の取付構造であって、前記粘着テープは、前記切断部露出用切り欠きの部分に露出している部分を除いて反転板全体を覆っていることを特徴とする反転板の取付構造にある。
【０００９】
本願請求項３に記載の発明は、請求項１に記載の反転板の取付構造であって、前記反転板は複数枚であってそれらの外周辺を接近させてそれぞれ粘着テープによって取付部材に貼り付けられ、前記複数枚の反転板の相互に接近している外周辺の部分が露出するように、粘着テープの外周辺に外周辺露出用切り欠きを設けたことを特徴とする反転板の取付構造にある。
【００１０】
本願請求項４に記載の発明は、請求項１または２または３に記載の反転板の取付構造であって、前記取付部材は、前記反転板を可動接点板として取り付けることで押圧スイッチが構成されるスイッチ接点部を有するか、或いは前記反転板をクリック板として取り付けることで押圧スイッチが構成されるスイッチ接点部を有してなるスイッチ回路基板であることを特徴とする反転板の取付構造にある。
【００１１】
本願請求項５に記載の発明は、一方の面側に突出する湾曲面を有する反転板を、粘着テープによって取付部材に貼り付ける反転板の取付方法において、帯状の金属板に順次連結部によって反転板を取り付けてなる反転板連結体と、外周辺に順次切断部露出用切り欠きを形成してなる粘着テープとを用意し、前記反転板の湾曲面が突出する面側に前記粘着テープを貼り付け、その際前記各切断部露出用切り欠き内に前記各反転板の連結部を位置させ、前記粘着テープと前記連結部とをそれぞれ切断することで個品化された粘着テープを貼り付けた反転板を反転板連結体から取り出して前記取付部材上に貼り付けることを特徴とする反転板の取付方法にある。
【発明の効果】
【００１２】
請求項１，２に記載の発明によれば、反転板外周の連結部切断部の部分が、粘着テープの切断部露出用切り欠きの部分に露出するので、たとえ反転板の直径寸法が粘着テープの幅寸法よりも小さく（または同一程度に）なっても、粘着テープによる反転板の貼り付け力を低下させることなく空気逃げを形成することができて反転板にスムーズな反転動作を行わせることができる。
【００１３】
請求項３に記載の発明によれば、複数枚の反転板をそれらの外周辺を接近させてそれぞれ粘着テープによって取付部材に貼り付けたとしても、粘着テープの外周辺に外周辺露出用切り欠きを設けたので、一方の反転板を貼り付ける粘着テープの上にもう一方の反転板が乗り上げることを確実に防止できる。
【００１４】
請求項４に記載の発明によれば、スイッチ回路基板のスイッチ接点部上に反転板を取り付けてなる押圧スイッチが構成できる。
【００１５】
請求項５に記載の発明によれば、連結部の部分が、粘着テープの切断部露出用切り欠きの部分に露出するので、たとえ反転板の直径寸法が粘着テープの幅寸法よりも小さく（または同一程度に）なっても、連結部の切断が、粘着テープによって阻害されることなくスムーズに行え、取付部材への反転板の取り付けが容易に行えるようになる。
【図面の簡単な説明】
【００１６】
【図１】反転板の取付構造１−１の要部拡大斜視図である。
【図２】反転板の取付構造１−１の一部分解斜視図である。
【図３】反転板の取付構造１−１の製造方法説明図である。
【図４】粘着テープ５０の一部を示す図であり、図４（ａ）は平面図、図４（ｂ）は側面図である。
【図５】粘着テープ５０にカット溝３１１を形成した状態を示す平面図である。
【図６】反転板連結体１００の一部を示す平面図である。
【図７】粘着テープ５０を貼り付けた反転板連結体１００の一部を示す平面図である。
【図８】粘着テープ５０にカット部３９１を形成した状態を示す平面図である。
【図９】反転板連結体１００の連結部１０１を切断した状態を示す平面図である。
【図１０】従来の反転板５００の取付構造を示す要部拡大斜視図である。
【図１１】反転板連結体５５０に粘着テープ５１０を貼り付けた状態を示す図である。
【図１２】２枚の反転板１０−１，２を接近して貼り付けた場合の問題点説明図である。
【図１３】反転板の取付構造１−２の平面図である。
【図１４】反転板１０−１，２を接近してスイッチ回路基板８０に貼り付けた状態を示す平面図である。
【図１５】反転板１０−１，２を接近してスイッチ回路基板８０に貼り付けた状態を示す平面図である。
【図１６】反転板１０−１〜５を接近してスイッチ回路基板８０に貼り付けた状態を示す平面図である。
【図１７】粘着テープ５０にカット溝３１１，３１３を形成した状態を示す平面図である。
【発明を実施するための形態】
【００１７】
以下、本発明の実施形態を図面を参照して詳細に説明する。図１は本発明の第１実施形態に係る反転板の取付構造１−１を示す要部拡大斜視図、図２はその一部分解斜視図である。両図に示すようにこの反転板の取付構造１−１は、反転板１０を粘着テープ５０によって取付部材（以下「スイッチ回路基板」という）８０に貼り付けて構成されている。なお以下の説明において、「上」とは取付部材８０から反転板１０側を見る方向をいい、「下」とはその反対方向をいうものとする。
【００１８】
反転板１０は、弾性金属板を略円形であって一方の面側（図１では上側）に突出する湾曲面を有して構成されている。この反転板１０は下記するように押圧スイッチの一方の接点を構成する可動接点板である。反転板１０の外周辺の１８０°対向する位置には一対の連結部切断部１１が設けられている。連結部切断部１１は、この反転板１０を取り付けていた下記する反転板連結体１００との連結部１０１を切断した部分である。
【００１９】
粘着テープ５０は下面に粘着層を有する可撓性を有する合成樹脂フイルムであり、その外周辺の対向する一対の位置（２か所）には略円弧状に切り欠かれてなる切断部露出用切り欠き５１が設けられている。これら切断部露出用切り欠き５１は、この粘着テープ５０を反転板１０に貼り付けた際に連結部切断部１１の部分が露出する位置に形成されている。粘着テープ５０の幅寸法（連結部切断部１１の部分の幅寸法を除く）Ｌ１は、反転板１０の直径寸法よりも大きく形成されている。
【００２０】
スイッチ回路基板８０は可撓性を有する合成樹脂フイルム製の基板８１の表面にスイッチ接点部８３を形成して構成されている。スイッチ接点部８３は中央の点状の中央接点パターン８３１とその周囲を囲む周囲接点パターン８３３とを具備して構成され、それぞれからは回路パターン８３５，８３７が引き出されている。なお各回路パターン８３５，８３７上には図示しない絶縁層が被覆されている。なおこの例では基板８１として合成樹脂フイルム製のものを用いたが、硬質の基板を用いても良い。
【００２１】
そして反転板１０の上面に粘着テープ５０を貼り付けたものを、スイッチ回路基板８０のスイッチ接点部８３上に載置し、その際反転板１０の外周辺の部分を周囲接点パターン８３３上に当接し、反転板１０の外周からはみ出している粘着テープ５０の下面をスイッチ回路基板８０の上面に貼り付ける。これによって押圧スイッチＳが完成する。
【００２２】
このとき反転板１０は両連結部切断部１１の周囲部分を除いて粘着テープ５０によって覆われる。言い換えれば粘着テープ５０は切断部露出用切り欠き５１の部分に露出している部分を除いて反転板１０全体を覆っている。そして反転板１０の中央部分を粘着テープ５０の上から押圧すると、反転板１０が反転し、反転板１０の下面中央部分が中央接点パターン８３１に当接し、スイッチがオンする。前記反転板１０への押圧を解除すれば、反転板１０はその弾性復帰力によって元の形状に自動復帰し、スイッチはオフする。反転板１０の反転の際にはクリック感覚が生じる。
【００２３】
以上説明したように押圧スイッチＳは、一方の面側に突出する湾曲面を有する反転板１０を、粘着テープ５０によってスイッチ回路基板８０に貼り付ける反転板１０の取付構造１−１であり、反転板１０の外周にこの反転板１０を取り付けていた反転板連結体１００との連結部１０１を切断した連結部切断部１１が設けられており、この連結部切断部１１の部分が露出するように、粘着テープ５０の外周辺に切断部露出用切り欠き５１を設けている。このとき粘着テープ５０は、切断部露出用切り欠き５１の部分に露出している部分を除いて反転板１０全体を覆っている。
【００２４】
このように構成された押圧スイッチＳによれば、粘着テープ５０の幅寸法Ｌ１を大きく維持できるので粘着テープ５０による反転板１０の貼り付け力は低下しない。一方反転板１０の外周の連結部切断部１１の部分が、粘着テープ５０の切断部露出用切り欠き５１の部分に露出するので、たとえ反転板１０の直径寸法が粘着テープ５０の幅寸法Ｌ１よりも小さく（または同一程度に）なっても、空気逃げが形成できて反転板１０にスムーズな動作を行わせることができる。
【００２５】
次に反転板連結体１００に連結した反転板１０に粘着テープ５０を取り付けてスイッチ回路基板８０に貼り付けるまでの反転板１０の取付方法を説明する。図３は反転板の取付構造１−１の製造方法の全体概略説明図である。同図において３００は粘着テープリール、３１０はテープカット部、３３０は剥離シート巻き取りリール、３５０は反転板連結体リール、３７０はテープ貼り付け部、３９０はテープカット部、４１０は連結部切断部、４３０は反転板連結体巻取リールである。
【００２６】
粘着テープリール３００には帯状で長尺の粘着テープ５０が巻き付けられている。この粘着テープ５０には、図４に示すように、粘着テープ５０の粘着層を形成した側の面に粘着テープ５０と同一形状の剥離シート（セパレータ）５５が貼り付けられている。
【００２７】
そして粘着テープリール３００から引き出された帯状の粘着テープ５０には、テープカット部３１０において、図５に示すように、その両外側辺に一対ずつ、略円弧形状のカット溝３１１が形成される。このカット溝３１１は前記切断部露出用切り欠き５１の形状と同一形状である。カット溝３１１は粘着テープ５０のみを完全にカットし剥離シート５５は完全にはカットしておらず、いわゆるハーフカット状態となっている。
【００２８】
次に、剥離シート５５は粘着テープ５０から引き剥がされて剥離シート巻き取りリール３３０に巻き取られる。このとき剥離シート５５側に粘着テープ５０のカット溝３１１に囲まれた部分（カットされた部分）が取り残され、これによって粘着テープ５０の両側辺には一対ずつ切断部露出用切り欠き５１が形成される。
【００２９】
次に前記粘着テープ５０の剥離シート５５を剥がした粘着面に、反転板連結体リール３５０から引き出した反転板連結体１００をテープ貼り付け部３７０において貼り付けていく。図６は反転板連結体１００の一部を示す平面図である。同図に示すように反転板連結体１００は、帯状の弾性金属板中に、連続して同一形状の反転板１０を打ち抜き加工して構成されている。反転板１０は外周辺の１８０°対向する位置に接続されている接続部１０１によってその両外側にある連結部１０３に連結されている。また各反転板１０の間の位置にはこれらを仕切るように両連結部１０３間を直接連結する連絡部１０５が形成されている。各連結部１０３中には送り孔１０７が形成されている。図７は粘着テープ５０を貼り付けた反転板連結体１００の一部を示す平面図である。同図に示すように粘着テープ５０は連続して各反転板１０の湾曲面が突出する面側に貼り付けられ、その際前記各切断部露出用切り欠き５１内に前記反転板１０の接続部１０１をそれぞれ位置させている。
【００３０】
次に図３に示すテープカット部３９０において、図８に示すように粘着テープ５０を各反転板１０の間の位置（連絡部１０５上）において切断する（カット部３９１）。カット部３９１において粘着テープ５０は切断されているが、連絡部１０５は切断されておらず、いわゆるハーフカット状態となっている。
【００３１】
次に図３に示す連結部切断部４１０において、図９に示すように切断部露出用切り欠き５１内の連結部１０１をカット用ポンチによって切断する。これによって個品化された各反転板１０を貼り付けた個品化された粘着テープ５０の両端部が連絡部１０５に貼り付けられた状態で反転板連結体１００に取り付けられた状態となる。
【００３２】
そして個品化された反転板１０と粘着テープ５０を１つずつ反転板連結体１００から取り外して、図２に示すようにスイッチ回路基板８０のスイッチ接点部８３上に貼り付ければ図１に示す押圧スイッチＳが完成する。なお上記組立手順はその一例であり、他の各種異なる組立手順を用いて組み立てても良いことはいうまでもない。例えばテープカット部３９０と連結部切断部４１０の設置位置を逆にし、先に連結部１０１を切断した後に粘着テープ５０を切断しても良い。
【００３３】
以上説明したように、上記反転板１０のスイッチ回路基板８０への取付方法は、帯状の金属板に順次連結部１０１によって反転板１０を取り付けてなる反転板連結体１００と、外周辺に順次切断部露出用切り欠き５１を形成してなる粘着テープ５０とを用意し、反転板１０の湾曲面が突出する面側に粘着テープ５０を貼り付け、その際各切断部露出用切り欠き５１内に各反転板１０の連結部１０１を位置させ、粘着テープ５０と連結部１０１とをそれぞれ切断することで個品化された粘着テープ５０を貼り付けた反転板１０を反転板連結体１００から取り出してスイッチ回路基板８０上に貼り付ける取付方法である。
【００３４】
この取付方法によれば、連結部１０１の部分が粘着テープ５０の切断部露出用切り欠き５１の部分に露出するので、たとえ反転板１０の直径寸法が粘着テープ５０の幅寸法よりも小さく（または同一程度に）なっても、連結部１０１の切断が粘着テープ５０によって阻害されることなくスムーズに行え、スイッチ回路基板８０への反転板１０の取り付けが容易になる。つまり連結部１０１をカットする際にその上に粘着テープ５０があると粘着テープ５０がカットの邪魔になったり、カット用ポンチに粘着材が付着したりすることで連結部１０１のカットがスムーズに行えなくなる恐れがあったが、この問題を確実に防止できる。
【００３５】
ところで、上記反転板１０の取付構造においては、さらに以下のような問題があった。即ち図１２に示すように、２枚の反転板１０−１，２をそれぞれ接近した状態でスイッチ回路基板８０に貼り付けた場合、一方の反転板１０−１を貼り付けるための粘着テープ５０−１の外周辺５７の上に、次に貼り付けようとする反転板１０−２の外周辺が乗ってしまい、その下にある図示しない周囲接点パターンとの間に接触不良を生じてしまう恐れがあった。
【００３６】
図１３はこの問題をも解決した反転板の取付構造１−２の平面図である。同図に示す反転板の取付構造１−２において、前記図１〜図９に示す反転板の取付構造１−１と同一又は相当部分には同一符号を付す。なお以下で説明する事項以外の事項については、前記図１〜図９に示す反転板の取付構造１−１と同じである。この取付構造１−２において前記取付構造１−１と相違する点は、粘着テープ５０の前記切断部露出用切り欠き５１を設けた一対の外周辺以外の対向する一対の外周辺５７に、反転板１０の外周辺を露出させるための外周辺露出用切り欠き５９を設けた点である。この外周辺露出用切り欠き５９内に露出させる反転板１０の外周辺は、他の反転板１０の外周辺に接近して設置される。
【００３７】
図１４は上記構成の粘着テープ５０―１，２を用いて２枚の反転板１０−１，２を接近してスイッチ回路基板８０に貼り付けた状態を示す平面図である。同図に示すように２枚の反転板１０―１，２は、両粘着テープ５０−１，２の外周辺露出用切り欠き５９を設けた外周辺５７を対向させて貼り付けられており、これによって両反転板１０―１，２の露出した外周辺が接近して取り付けられている。このように構成すれば、両反転板１０―１，２の外周辺が接近して取り付けられた場合でも、一方の反転板１０−１を貼り付けるための粘着テープ５０−１の外周辺５７の上に、次に貼り付けようとする反転板１０−２の外周辺が乗ることはなく、何れの反転板１０−１，２もその下にある図示しない周囲接点パターンに確実に接続される。なお粘着テープ５０−１，２に上記外周辺露出用切り欠き５９を設けた場合、両粘着テープ５０−１，２の対向する外周辺５７はこれらを例えば図１５に示すように重ね合わせて接着しても、反転板１０−１，２の外周辺の下側に粘着テープ５０−１，２が位置することはなく、上述のように何れの反転板１０−１，２も確実にその下にある図示しない周囲接点パターンに接続される。なおこのように構成すれば、粘着テープ５０−１，２による接着力が増大する。
【００３８】
図１６は上記図１３に示す粘着テープ５０−１〜５を用いて５枚の反転板１０−１〜５をそれらの外周辺が接近するようにスイッチ回路基板８０に貼り付けた状態を示す平面図である。このように多数枚の反転板１０−１〜５の外周辺を接近して取り付ける場合も、上記と同様に、貼り付けた何れかの反転板１０−１〜５の粘着テープ５０−１〜５の外周辺の上に、次に貼り付けようとする反転板１０−１〜５の外周辺が乗ることはなく、何れの反転板１０−１〜５も確実にその下にある図示しない周囲接点パターンに接続される。この例の場合、切断部露出用切り欠き５１と外周辺露出用切り欠き５９が対向している部分においても同様に反転板１０の外周辺を接近して設置することができることが分かる。
【００３９】
上記外周辺露出用切り欠き５９を有する粘着テープ５０を製造するには、図１７に示すように、粘着テープリール３００から引き出された帯状の粘着テープ５０に、前記テープカット部３１０において、前記切断部露出用切り欠き５１となる略円弧形状のカット溝３１１と、前記外周辺露出用切り欠き５９となる略半円形のカット溝３１３とを形成する。両カット溝３１１，３１３は何れも前記図５の場合と同様、いわゆるハーフカット状態となっている。そして粘着テープ５０から剥離シート５５を引き剥がした際、剥離シート５５側に粘着テープ５０のカット溝３１１，３１３に囲まれた部分（カットされた部分）が取り残され、これによって粘着テープ５０に切断部露出用切り欠き５１と外周辺露出用切り欠き５９とが形成される。以下の工程は前記の場合と同様である。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では反転板１０を可動接点板として用い、基板８１の表面に形成したスイッチ接点部８３上にこの可動接点板１０を取り付けて押圧スイッチＳを形成したが、例えば２枚の基板（少なくとも押圧する側の基板が可撓性を有するフレキシブル基板）の対向する面に接点パターンを設けて所定の隙間を介して対向させたスイッチ接点部（いわゆるメンブレンスイッチ）を構成し、一方の接点パターンを設けたフレキシブル基板の反対側の面に反転板をクリック板として取り付けて押圧スイッチを形成してもよい。さらに反転板を取り付ける取付部材は、スイッチ回路基板８０以外の各種部材（例えばスイッチ接点部を設置していない部材上に反転板を設置し、この反転板を押圧することでクリック感覚のみを得るような場合）であっても良い。また上記実施形態では連結部１０１を切断した際に連結部１０１の一部を反転板１０の外周辺に残したが、反転板１０から完全に連結部１０１がなくなるように切断しても良い。
【符号の説明】
【００４１】
１−１  反転板の取付構造
１０  反転板（可動接点板）
１１  連結部切断部
５０  粘着テープ
５１  切断部露出用切り欠き
５９  外周辺露出用切り欠き
８０  スイッチ回路基板（取付部材）
８１  基板
８３  スイッチ接点部
１００  反転板連結体
１０１  連結部
Ｓ  押圧スイッチ
【図１】
2011138659.tif 000003
【図２】
2011138659.tif 000004
【図３】
2011138659.tif 000005
【図４】
2011138659.tif 000006
【図５】
2011138659.tif 000007
【図６】
2011138659.tif 000008
【図７】
2011138659.tif 000009
【図８】
2011138659.tif 000010
【図９】
2011138659.tif 000011
【図１０】
2011138659.tif 000012
【図１１】
2011138659.tif 000013
【図１２】
2011138659.tif 000014
【図１３】
2011138659.tif 000015
【図１４】
2011138659.tif 000016
【図１５】
2011138659.tif 000017
【図１６】
2011138659.tif 000018
【図１７】
2011138659.tif 000019